(57)【特許請求の範囲】
【請求項１】
鏡餅の外形を模した収容部と、この収容部の底部に外方向に延びるように形成されたフランジ部と、を含む鏡餅容器と、
前記鏡餅容器の収容部が裏面側から通過できる開口部が形成された基台面と、この基台面を支持する複数の側壁と、を含む台座と、を備えた正月用飾り餅であって、
少なくとも２つ以上の前記側壁の内側面において、前記基台面との直交方向における前記基台面寄りに切り欠きを形成し、前記開口部に収容部を通過させた鏡餅容器のフランジ部の一部を前記各切り欠きに嵌合させて、鏡餅容器と台座とを一体的に固定しているとともに、前記側壁によって前記鏡餅容器を支持することを特徴とする正月用飾り餅。
【請求項２】
鏡餅の外形を模した収容部と、この収容部の底部に外方向に延びるように形成されたフランジ部と、を含む鏡餅容器と、
前記鏡餅容器が載置される矩形状の載置面と、平面視矩形状に繋がり前記載置面を囲うように形成された４つの側壁であって、前記載置面との直交方向において、前記載置面から離れる方向に進むに従って拡開する４つの側壁と、を含む受皿と、を備えた正月用飾り餅であって、
前記４つの側壁のうち、第１方向に対向する２つの前記側壁の内側面に切り欠きを形成し、前記載置面に載せた鏡餅容器のフランジ部の前記第１方向の両端部をそれぞれ前記各切り欠きに嵌合させて、鏡餅容器と受皿とを一体的に固定していることを特徴とする正月用飾り餅。
【発明の詳細な説明】
【技術分野】
【０００１】
本発明は、鏡餅を模した正月用飾り餅に関する。
【背景技術】
【０００２】
鏡餅は、代々継承されている日本の伝統として、正月に家庭や店舗などで飾られている。近年においては、鏡餅の形状を模した容器内に餅を収容し、この容器を三方などの台座に載せた商品が販売等されている。消費者は、商品を正月飾りとして飾った後、容器から餅を取り出して食する。このような正月飾りは、縁起ものとして見栄えが良いように、容器の上面に橙や干支動物などの象形体を載置したり、水引や屏風などを取り付けしたりなどの装飾が施されている。
【０００３】
商品の流通過程や店頭に並べられた際に、容器と台座がばらばらになったり、水引や屏風などの装飾が脱落したりするのを防止可能な構造にすることが望ましいが、そのために特許文献１のような複雑な構造にすると、製造コストが高くなるという問題がある。
【先行技術文献】
【特許文献】
【０００４】
【特許文献１】特許第４６５８４６０号公報
【発明の概要】
【発明が解決しようとする課題】
【０００５】
本発明は、上述した問題点を解決するためになされたものであり、その目的は、製造コストが高くなるのを抑えた簡単な構造によって、容器と台座がばらばらになったり、屏風などの装飾が脱落したりするのを防止することのできる正月用飾り餅を提供することにある。
【０００６】
さらに、本発明の他の目的は、鏡餅容器と台座、鏡餅容器と受皿、或いは鏡餅容器と受皿と装飾部の一体的な固定を簡単な構造で実現することによって、これらの組み立て作業を容易に実行できるようにすることにある。
【課題を解決するための手段】
【０００７】
本発明の正月用飾り餅は、鏡餅の外形を模した収容部と、この収容部の底部に外方向に延びるように形成されたフランジ部と、を含む鏡餅容器と、前記鏡餅容器の収容部が裏面側から通過できる開口部が形成された基台面と、この基台面を支持する複数の側壁と、を含む台座と、を備えた正月用飾り餅であって、少なくとも２つ以上の前記側壁の内側面において、前記基台面との直交方向における前記基台面寄りに切り欠きを形成し、前記開口部に収容部を通過させた鏡餅容器のフランジ部の一部を前記各切り欠きに嵌合させて、鏡餅容器と台座とを一体的に固定しているとともに、前記側壁によって前記鏡餅容器を支持することを特徴とする
【０００８】
また、本発明の正月用飾り餅は、鏡餅の外形を模した収容部と、この収容部の底部に外方向に延びるように形成されたフランジ部と、を含む鏡餅容器と、前記鏡餅容器が載置される矩形状の載置面と、平面視矩形状に繋がり前記載置面を囲うように形成された４つの側壁であって、前記載置面との直交方向において、前記載置面から離れる方向に進むに従って拡開する４つの側壁と、を含む受皿と、を備えた正月用飾り餅であって、前記４つの側壁のうち、第１方向に対向する２つの前記側壁の内側面に切り欠きを形成し、前記載置面に載せた鏡餅容器のフランジ部の前記第１方向の両端部をそれぞれ前記各切り欠きに嵌合させて、鏡餅容器と受皿とを一体的に固定していることを特徴とする。
【０００９】
さらに、本発明の正月用飾り餅は、鏡餅の外形を模した収容部と、この収容部の底部に外方向に延びるように形成されたフランジ部と、を含む鏡餅容器と、前記鏡餅容器が載置される載置面と、この載置面を囲うように形成された側壁と、を含む受皿と、前記鏡餅容器の収容部が裏面側から通過できる開口部が形成された基台面と、この基台面に支持される装飾と、を含む装飾部と、を備えた正月用飾り餅であって、前記基台面の開口部に裏面側から鏡餅容器の収容部を通過させ、前記基台面の一部を前記切り欠きに嵌合させて、鏡餅容器と台座と装飾部を一体的に固定していることを特徴とする。
【発明の効果】
【００１０】
本発明の正月用飾り餅によれば、鏡餅容器の収容部が通過できる開口部が形成された基台面とこの基台面を支持する側壁を含む台座を用い、前記側壁の内側面に少なくとも１以上の切り欠きを形成し、前記開口部に裏面側から収容部を通過させた鏡餅容器のフランジ部の一部を前記切り欠きに嵌合させて鏡餅容器と台座を固定したことにより、流通過程や店頭に並べられた際に容器と台座がばらばらになるのを防止することができる。このような簡単な構造によって容器と台座を一体的に固定することを実現したことにより、製造コストを抑えることができ、また組み立て作業を容易に行うことができる。
【００１１】
本発明の正月用飾り餅によれば、鏡餅容器が載置される載置面とこの載置面を囲うように形成された側壁を含む受皿を用い、前記側壁の内側面に少なくとも１以上の切り欠きを形成し、前記載置面に載せた鏡餅容器のフランジ部の一部を前記切り欠きに嵌合させて鏡餅容器と台座を固定したことにより、流通過程や店頭に並べられた際に容器と受皿がばらばらになるのを防止することができる。このような簡単な構成によって容器と受皿を一体的に固定することを実現したことにより、製造コストを抑えることができ、また組み立てを容易に行うことができる。
【００１２】
さらに、本発明の正月用飾り餅によれば、上記のようにして鏡餅容器と受皿を固定する構成に変えて、鏡餅容器の収容部が裏面側から通過できる開口部が形成された基台面とこの基台面に支持される装飾を含む装飾部をさらに用い、前記基台面の開口部に裏面側から鏡餅容器の収容部を通過させ、前記基台面の一部を前記切り欠きに嵌合させて装飾部を受皿に固定する構成とすれば、容器と受皿と装飾部がばらばらになるのを防止することができる。
【図面の簡単な説明】
【００１３】
【図１】本発明の第１実施形態に従う正月用飾り餅である。
【図２】上記正月用飾り餅の斜視図である。
【図３】上記正月用飾り餅の鏡餅容器と台座を示す図である。
【図４】上記台座の展開図である。
【図５】上記正月用飾り餅を組み立てる手順を示す図である。
【図６】本発明の第２実施形態に従う正月用飾り餅である。
【図７】上記正月用飾り餅の鏡餅容器と台座を示す図である。
【図８】本発明の第３実施形態に従う正月用飾り餅である。
【図９】上記正月用飾り餅の鏡餅容器と台座を示す図である。
【図１０】上記鏡餅容器のフランジ部の変形例である。
【発明を実施するための形態】
【００１４】
以下、本発明の好ましい実施形態に従う正月飾りについて、添付図面を参照しながら詳しく説明する。但し、以下に説明する実施形態によって本発明の技術的範囲は何ら限定解釈されることはない。
【００１５】
（第１実施形態）
図１は、本発明の第１実施形態に従う正月用飾り餅の外観図を示す。また、図２は、正月用飾り餅を構成する鏡餅容器と台座の外観斜視図であり、図２（ａ）は鏡餅容器と台座を斜め上から見た斜視図、図２（ｂ）は斜め下から見た斜視図である。図３は、鏡餅容器と台座を別々に図示している。
【００１６】
図１〜図３に示すように、正月用飾り餅１は、鏡餅容器２、鏡餅容器２を支持する台座３、及び水引４１や橙４２などの装飾物４を備えている。鏡餅容器２は、例えばポリエチレンやポリプロピレンなどの樹脂で成形された中空の容器であって、その外形が大小の餅を２段に重ねてなる鏡餅を模した形状になっている。この鏡餅を模した中空部分は、底面部が開口しており、この開口部を通じて食用の餅が充填される収容部２０を構成している。収容部２０の底面側には、外方側に延びると共に、外周縁が円形状となっているフランジ部２１が周方向に形成されている。フランジ部２１は、例えばポリエチレンやポリプロピレンなどの樹脂で成形されている。収容部２０とフランジ部２１は、一体成形されているのが好ましいが、別々に成形したものを固着させるようにしてもよい。
【００１７】
鏡餅容器２は、底面開口部から食用の餅を充填した後、底面開口部をフィルムでラップすることによって封止している。ラップ用のフィルムは、消費者が引き剥がし可能なようにフランジ部２１の表面に接着する。鏡餅容器２の構造は、特許文献１の構造と同様にすることができる。なお、鏡餅を模した形状とは、図１〜図３に示すような２段重ね構造に限られず、例えば３段や４段などの複数段に重ねた構造であってもよい。
【００１８】
鏡餅容器２の上面に載置される橙４２は、例えばポリエチレンやポリプロピレンなどの樹脂で成形された象形体である。象形体は、橙に限定されることはなく、例えば干支動物，達磨，七福人，熊手などを模したマスコットであってもよい。象形体は、鏡餅容器２から脱落しないように、象形体を囲うドーム状の収容部分と、鏡餅容器の上段の餅の部分に嵌合させる固定部分を有する透明カバー４３に収容されている。
【００１９】
鏡餅容器２は、上段の餅と下段の餅との境界にくびれた部分を有しており、このくびれた部分に環状の紐４４が掛け回されている。水引４１は、この環状の紐４４に連結されている。なお、図１には装飾物４の一例として水引４１を示しているが、正月にちなんだものであればよく、水引４１に限定されることはない。水引４１以外の例としては、例えば絵馬，御幣、裏白、昆布、海老、譲葉、又は熨斗などの鏡餅特有の飾りが一例として挙げられる。
【００２０】
鏡餅容器２を支持する台座３は、特に、図２〜図３に示すように、平面形状が矩形状の基台面３１と、基台面３１の外周縁に連結された側壁３２によって形成されている。台座３の側壁３２は、基台面３１の四辺に連結されており、横から見たときに裾拡がりとなるように傾斜配置されている。図１〜図３では図示を省略しているが、台座３の表面に印刷等によって装飾を施して意匠性を高めたり、紹介文を記載して商品をアピールしたりすることができる。台座３は、例えば厚紙などの可撓性の材料を型抜きし、基台面３１と側壁３２の境界部分を折り曲げることによって成形することができる。図４には、基台面３１と側壁３２を一枚ものの厚紙で型抜きした一例を示しており、点線の部分で折り曲げることによって台座３を形成することができる。台座３は、厚紙を折り曲げて形成する以外にも、樹脂材料を成形したものであってもよい。
【００２１】
台座３の基台面３１には、中央に円形の開口部３３が形成されている。この開口部３３は、鏡餅容器２の収容部２０を通過させることはできるがフランジ部２１は通過させない大きさに形成されている。鏡餅容器２は、例えば図２に示すように、開口部３３に収容部２０を裏面側から通過させ、フランジ部２１が基台面３１の裏面に当接するように配置するのが好ましい。このとき、開口部３３の隙間からフランジ部２１が可能な限り見えないよう、開口部３３の内径を収容部２０の最大径に揃えることがさらに好ましい。
【００２２】
側壁３２の内側面には、水平方向に延びる帯状又は長方形状の切り欠き３４が形成されている。切り欠き３４は、四つの側壁３２のうち、対向する二つの側壁３２に形成されている。そして、上から見たときに、開口部３３の中心を中心とした切り欠き３４までの内接円の半径が、フランジ部２１の外径よりも小さくなるように台座３の大きさが設定されている。切り欠き３４は、対向する二つの側壁３２に必ずしも形成されている必要はなく、四つの側壁３２のうちのいずれか一つ以上に形成されていればよい。
【００２３】
切り欠き３４の上下方向の幅は、少なくともフランジ部２１の厚みと同じか或いはそれ以上に設定されている。好ましくは、上下方向の幅をフランジ部２１の厚み〜＋２ｍｍに設定する。切り欠き３４は、図示しているように外側面にまで貫通する開口部としてもよく、外側面までは貫通しない凹部であってもよい。更には、図４に例示したような型抜きの場合は、側壁３２が折り曲げた厚紙の２枚重ね構造となる。このような場合は、内側に位置する厚紙にのみ開口部を設けて切り欠き３４としてもよい。切り欠き３４は、側壁３２の高さ方向において基台面３１寄りに配置されていることが好ましく、切り欠き３４の上端が側壁３２の上端と揃っていることが更に好ましい。
【００２４】
続いて、上記した構成を有する正月用飾り餅を組み立てる手順について、図５を参照しながら説明する。まず、予め食用の餅が収容部２０内に充填され、フィルム２２で底面開口部が封止された鏡餅容器２を準備する。さらに台座３も準備するが、一枚ものの厚紙等で台座３を形成する場合は、台座３の組み立てを事前に行っておく。橙４２などの象形体及び透明カバー４３は、この時点で鏡餅容器２に取り付けられていてもよく、以下に説明する組み立て工程の途中又は工程の最後で取り付けるようにしてもよい。水引４１及び紐４４は、鏡餅容器２と台座３とを固定した後に取り付ける。
【００２５】
次に、鏡餅容器２の収容部２０を、台座３の開口部３３に裏面側から通過させる。この作業は、例えば組み立て用の治具５に鏡餅容器２を載置し、台座３を上からかぶせるようにして遂行する。台座３は機械（不図示）で動かすようにしてもよく、作業員が手に持って動かすようにしてもよい。フランジ部２１と台座３の少なくとも一方が可撓性材料で成形されているので、鏡餅容器２のフランジ部２１と台座３の切り欠き３４が揃う位置まで台座３を押し込むことによって、フランジ部２１を切り欠き３４に嵌合させることができる。開口部３３の中心を中心とした切り欠き３４までの内接円の半径がフランジ部２１の外径よりも小さくなるように設定していることから、図２（ｂ）に示すように、フランジ部２１がすべての切り欠き３４と嵌合して鏡餅容器２と台座３とが固定される。なお、治具５に代えて梱包用のトレーを利用するようにしてもよい。
【００２６】
前述の例では鏡餅容器２を固定配置して台座３の方を動かしているが、これに限られず、台座３を固定配置し、鏡餅容器２の方を台座３に向けて持ち上げるようにしてもよい。更に、鏡餅容器２と台座３の両方を動かすようにしてもよい。
【００２７】
上述の実施形態によれば、鏡餅容器２の収容部２０が通過できる開口部３３が形成された基台面３１と側壁３２とで形成された台座３を用い、開口部３３に収容部２０を通過させた鏡餅容器２のフランジ部２１を、台座３の側壁３２に形成された切り欠き３４に嵌合させる構成としたことにより、簡単な構造で鏡餅容器２と台座３とを固定することが可能となる。
【００２８】
さらに上述の実施形態によれば、鏡餅容器２のフランジ部２１と台座３の切り欠き３４が揃う位置まで鏡餅容器２と台座３を相対的に動かすだけで両者を固定することができるので、組み立て作業を容易に行うことが可能である。特に、特許文献１の構成との比較においては、鏡餅容器２と台座３を固定する作業時に、煩雑な台座３の折り曲げ作業が不要となるので作業員の負担を大幅に軽減することができる。
【００２９】
（第２実施形態）
続いて、本発明の第２実施形態について添付図面を参照しながら説明する。
本実施形態の正月用飾り餅１は、台座３に代えて図６〜図７に示す受皿６を用いたことを除けば、第１実施形態の正月用飾り餅と同様の構成である。従って、第１実施形態と同様の構成については、同じ符号を付すことによって詳しい説明を省略する。
【００３０】
鏡餅容器２が載置される受皿６は、平面形状が矩形状の載置面６１と、載置面６１の四辺を囲うように外周縁に連結された側壁６２によって形成されている。受皿６の側壁６２は、横から見たときに上方拡がりとなるように傾斜配置されている。すなわち、受皿６は、第１実施形態の台座３を逆さにした構成であり、中央に開口部（３３）を有しないことが台座３と相違する。但し、鏡餅容器２を封止するフィルム２２に印字された表示内容を消費者が確認できるように、載置面６１に開口部を形成することは可能である。また、本実施形態のように受皿６を備えた場合には、鏡餅容器２の底面開口部をフィルム２２で封止しないで、開口させたままでもよい。この場合、衛生のため餅自体を袋やラップで包装する。このように本実施形態によればフィルム２２を省略できるので、製造コストを抑えることができ、製造工程の簡略化を図ることができる。また、消費者が餅を食す際に餅の取出しが容易になる利点もある。
【００３１】
鏡餅容器２のフランジ部２１は、第１実施形態のように外周縁が円形であってもよいが、好ましくは載置面６１と同じ大きさか或いは相似形の矩形状とし、対向する２つの辺に突出片２１ａを形成しておく。この突出片２１ａは、受皿６の切り欠き６４内に嵌合可能なように、切り欠き３４と同じか或いは切り欠き３４よりも幅と長さを小さくしている。この場合、外周縁が矩形状に形成されたフランジ部２１を収容部２０と一体成形した鏡餅容器２を用いるようにしてもよく、或いは、第１実施形態のような円形のフランジ部を有する鏡餅容器２に、外周縁が略矩形状に形成されたフランジ部材を継ぎ足すようにしてもよい。このように、フランジ部２１を載置面６１と略同じ形状にすれば、フランジ部２１の上面に印刷等によって装飾を施すことでより一層見栄えを良くすることが可能となる。
【００３２】
続いて、上記した構成を有する正月用飾り餅１を組み立てる手順について、図７を参照しながら説明する。本実施形態の場合、第１実施形態のような治具５は特に必要でなく、台の上に受皿６を置いた状態で鏡餅容器２を上から押し込むことで、フランジ部２１の一部である突出片２１ａを受皿６の切り欠き６４に嵌合させることができる。
【００３３】
上述の第２実施形態によっても、鏡餅容器２が載置される載置面６１と側壁６２とで形成された受皿６を用い、載置面６１上に載せた鏡餅容器２のフランジ部２１の突出片２１ａを、受皿６の側壁６２に形成された切り欠き６４に嵌合させる構成としたことにより、簡単な構造で鏡餅容器２と受皿６とを固定することが可能となる。
【００３４】
さらに上述の実施形態によれば、鏡餅容器２のフランジ部２１と受皿６の切り欠き６４が揃う位置まで鏡餅容器２と受皿６を相対的に動かすだけで両者を固定することができるので、組み立て作業を容易に行うことが可能である。
【００３５】
（第３実施形態）
続いて、本発明の第３実施形態について添付図面を参照しながら説明する。
本実施形態は、第２実施形態の変形例であり、図８〜図９に示すように、装飾部７をさらに備えていることが第２実施形態と相違する。さらに、後述するように装飾部７と受皿６とで鏡餅容器２のフランジ部２１を挟み込む構成であるので、鏡餅容器２は、第２実施形態及び第１実施形態の形状のいずれでも適用可能である。図９は、第１実施形態の形状で図示している。さらに、底面開口部は、フィルム２２による封止を省略することができる。受皿６については第２実施形態と同じ構成であるため、同じ符号を付すことによって詳しい説明を省略する。
【００３６】
装飾部７は、図８〜図９に示すように、中央に円形の開口部７２が形成された基台面７１を有し、この基台面７１に装飾物としての屏風７３が取り付けられている。勿論、装飾物は屏風７３に限られず、屏風７３以外の装飾物を取り付けるようにしてもよい。開口部７２は、鏡餅容器２の収容部２０を通過させることはできるがフランジ部２１は通過させない大きさに形成されている。開口部７２の隙間からフランジ部２１が可能な限り見えないよう、開口部７２の内径を収容部２０の最大径に揃えることが好ましい。基台面７１は、好ましくは載置面７１と同じ大きさか或いは相似形の矩形状とし、対向する２つの辺に突出片７１ａを形成しておく。この突出片７１ａは、切り欠き６４内に嵌合可能なように、切り欠き６４と同じか或いは切り欠き６４よりも幅と長さを小さくしている。基台面７１の上面には、印刷等によって装飾を施すことができ、これにより一層見栄えを良くすることが可能となる。
【００３７】
続いて、上記した構成を有する正月用飾り餅１を組み立てる手順について、図９を参照しながら説明する。本実施形態の場合も、第１実施形態のような治具５は特に必要でなく、台の上に受皿６を置いた状態で、鏡餅容器２と装飾部７を上から押し込むことで装飾部７の突出片２１ａ，７１ａを受皿６の切り欠き３４に嵌合させることができる。この場合、先ず始めに鏡餅容器２を受皿６に載置し、次に装飾部７を受皿６に固定するようにしてもよく、鏡餅容器２と装飾部７を重ね合わせた状態にして受皿６に押し込むことで鏡餅容器２と装飾部７を同時に受皿６に固定するようにしてもよい。
【００３８】
なお、鏡餅容器２のフランジ部２１は、第１実施形態及び図１０（ａ）に示す円形、第２実施形態及び図１０（ｂ）に示す矩形に突出片を形成したものに限られず、図１０（ｃ）に示す楕円にしてもよく、図１０（ｄ）に示す円形に突出片を形成した形状にしてもよい。さらに、台座３や受皿６も平面形状が必ずしも矩形でなくともよく、円形等の種々の形状とすることができ、台座３や受皿６の形状に適合するようにフランジ部２１の形状を設定する。
【００３９】
本発明は、その趣旨または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００４０】
１      正月用飾り餅
２      鏡餅容器
２０    収容部
２１    フランジ部
２１ａ  突出片
３      台座
３１    基台面
３２    側壁
３３    開口部
３４    切り欠き
６      受皿
６１    載置面
６２    側壁
６４    切り欠き
７      装飾部
７１    基台面
７１ａ  突出片
７２    屏風
【図１】
0005971975.tif 000002
【図２】
0005971975.tif 000003
【図３】
0005971975.tif 000004
【図４】
0005971975.tif 000005
【図５】
0005971975.tif 000006
【図６】
0005971975.tif 000007
【図７】
0005971975.tif 000008
【図８】
0005971975.tif 000009
【図９】
0005971975.tif 000010
【図１０】
0005971975.tif 000011